(57)【特許請求の範囲】
【請求項１】
本体ケース１の内部に、ディスク２が回転自在に収容されており、
本体ケース１の上下壁３・４には、それぞれの略中央部から前側の開放端面５の方向にわたって信号読み書き用の窓孔６が開口されており、
本体ケース１に、窓孔６を開閉するプラスチック製のシャッター７が上下壁３・４の各外表面上で左右方向に摺動自在に装着されているディスクカートリッジにおいて、
本体ケース１の開放端面５の内部に、案内レール１７が左右方向にわたって設けられており、
シャッター７が、本体ケース１の上下壁３・４の各外表面上を摺動する上下板７ａ・７ｂと、この上下板７ａ・７ｂの一端どうしをつないで前記開放端面５上を摺動する背板７ｃと、この背板７ｃの左右方向の略中央部に外方へ膨出状に一体形成した突部８と、背板７ｃの内面から一体に突設されて案内レール１７に沿って左右方向に摺動する抜止め片１３とを有しており、
上下板７ａ・７ｂは、これの左右幅寸法よりも前後幅寸法を大きく設定してあり、
抜止め片１３の先端に逆止爪１３ａを有し、この逆止爪１３ａが案内レール１７に前方抜け止め状に係合しており、
前記突部８の内部に、肉抜き凹部８ａが該突部８の左右両端で開放するように形成されており、
前記突部８の肉抜き凹部８ａ内の左右方向中央部もしくはこの近傍部に、隔壁１１が一体成形されていることを特徴とするディスクカートリッジ。
【請求項２】
逆止爪１３ａが、抜止め片１３の先端左右に互いに上下逆向きに設けられている請求項１記載のディスクカートリッジ。  
【発明の詳細な説明】
【０００１】
【発明の属する技術分野】
本発明は、光ディスクや光磁気ディスク等の記録媒体であるディスクがハードケース内に回転自在に収容されているディスクカートリッジに関する。
【０００２】
【従来の技術】
この種のディスクカートリッジに特公平４−５９７０３号公報がある。そこでは、ディスクが収容される本体ケースの上下面に、外部からディスクに対して信号の読み書きが行えるように窓孔を設け、この窓孔が摺動式のシャッターにより開閉される。不使用時にシャッターが窓孔を閉じて塵埃や異物がディスクに付着するのを防止し、使用時にディスクドライブに装填するとシャッターがドライブ側の開閉操作部材で開かれ、ヘッドが窓孔に挿入する。また、かかるディスクカートリッジにおけるシャッターの成形方法に特公平８−１７０２２号公報があり、これによればシャッター成形品をシャッターのスライド方向と直交する前後方向に離型する金型を用いている。
【０００３】
【発明が解決しようとする課題】
上記したディスクカートリッジでは、本体ケースに対してシャッターを抜け止め状態に摺動案内するために、本体ケースの外表面に案内溝を設け、この案内溝にシャッターに設けた抜止め爪が摺動自在に係合している。しかし、これではシャッターの閉じ状態時にも案内溝の一部が外部に露出状態にあるため、この案内溝が他物と接触して欠損したり、塵埃が溜まり易くて、シャッターの安定かつ円滑な摺動を損なう原因となり、また外観的にも見苦しいという難点があった。シャッター成形品を前後方向に離型する上記シャッターの成形方法では、シャッターが本体ケースの前後方向中央を越える程度にまで前後方向に長く形成する形式だと、金型が大型化してコストアップとなる。
【０００４】
そこで本発明の目的は、本体ケースに対しシャッターを安定かつ円滑に開閉摺動でき、しかも外観上体裁良く取り付けられるディスクカートリッジを提供することにある。本発明の目的は、シャッターの射出成形の容易化、成形金型の小型化を図ることのできるディスクカートリッジを提供することにある。
【０００５】
【課題を解決するための手段】
本発明のディスクカートリッジでは、本体ケース１の内部にディスク２が回転自在に収容され、本体ケース１の上下壁３・４にはそれぞれの略中央部から前側の開放端面５の方向にわたって信号読み書き用の窓孔６が開口されており、本体ケース１に前記窓孔６を開閉するプラスチック製のシャッター７が本体ケース１の上下壁３・４の各外表面上で左右方向に摺動自在に装着されている。
【０００６】
そのうえで本発明は、本体ケース１の前記開放端面５の内部に、案内レール１７を左右方向にわたって設ける。シャッター７は、本体ケース１の上下壁３・４の各外表面上を摺動する上下板７ａ・７ｂと、この上下板７ａ・７ｂの一端どうしをつないで前記開放端面５上を摺動する背板７ｃと、この背板７ｃの外面の左右方向の略中央部に外方へ膨出状に形成した突部８と、背板７ｃの内面から一体に突設されて案内レール１７上を左右方向に摺動する抜止め片１３とを有する。上下板７ａ・７ｂは、これの左右幅寸法よりも前後幅寸法を大きく設定する。抜止め片１３の先端に逆止爪１３ａを有し、この逆止爪１３ａが案内レール１７に前方抜け止め状に係合する。かくして、突部８の内部に、肉抜き凹部８ａが該突部８の左右両端に開放するように形成されたものである。
【０００７】
シャッター７は、逆止爪１３ａを抜止め片１３の先端左右に互いに上下逆向きに設け、両逆止爪１３ａ・１３ａが前記案内レール１７にそれぞれ前方抜け止め状態に係合するものとすることができる。
【０００８】
本発明のディスクカートリッジでは、上記シャッター７を射出成形するに際し、シャッター７を左右方向に離型する。その際に、突部８の肉抜き凹部８ａ内の左右方向中央部もしくはこの近傍部に一体に成形した隔壁１１を、エジェクターピン２３で突き出す。
【０００９】
【作用】
本体ケース１の開放端面５の内部に設けた案内レール１７に、シャッター７の抜止め片１３が抜け止め状に摺動係合しているので、本体ケース１に対するシャッター７の抜け止め規制と摺動案内とが本体ケース１内で行え、かかる摺動案内部への塵埃堆積や他物の触れなどから防護できる。
【００１０】
シャッター７の背板７ｃに抜止め片１３を設け、この抜止め片１３で案内レール１７にシャッター７を抜け止め状に支持するので、シャッター７は案内レール１７上をがたつきなく安定的に摺動する。抜止め片１３の逆止爪１３ａは上下逆向きに設けておくと、シャッター７を摩擦抵抗少なく摺動させるために抜止め片１３と案内レール１７との間の上下に空隙Ｓを設けていても、抜止め片１３が案内レール１７から抜け出ることがなく摩滅の偏りも無くなる。
【００１１】
背板７ｃに設けた突部８は、ディスクドライブに装填したとき、該ドライブ側の開閉操作部材に係合し、この係合作用でシャッター７が開く。これら突部８や抜止め片１３を持つ形状のシャッター７は、突部８が肉抜き凹部８ａを左右両端に開放するように形成されることで、その金型構造は図８に示すように上下板７ａ・７ｂの短手方向と一致する左右方向Ａ・Ｂに離型する固定・可動金型１９・２０でシャッター７を容易に射出成形することができる。突部８の肉抜き凹部８ａ内の隔壁１１をエジェクターピン２３で突き出すことで、突部８および抜止め片１３の部分をも可動金型２０から抵抗少なく容易に突き出せる。
【００１２】
【発明の実施の形態】
ディスクカートリッジは、薄型四角形状の本体ケース１の内部に、上下両面に映像・音声・情報等の信号が記録される光ディスク等のディスク２を回転自在に収容できる。本体ケース１はプラスチック製の上ケース１ａと下ケース１ｂとを突き合わせて一体的に結合してなる。上ケース１ａの上壁３および下ケース１ｂの下壁４には、それぞれの略中央部から前側の開放端面５に向けて信号読み書き用の窓孔６を開口してあり、この窓孔６が左右方向に摺動するシャッター７で開閉自在に塞がれる。ディスクカートリッジはこれ全体のコンパクト化を図るために、図示例のように本体ケース１の左右幅寸法とディスク２の直径寸法とが可及的に接近して設定され、窓孔６の左右開口幅およびシャッター７の左右幅寸法が、本体ケース１の左右幅寸法のほぼ１／３近くにまで大きく設定され、シャッター７の前後方向寸法は左右幅寸法よりも大きく設定されている。
【００１３】
図１および図６において、上ケース１ａは上壁３とこれの左右端に直角に連設した左右の側壁１２・１２とからなる。上壁３の略中央部から前端の左右方向中央部にわたって前記窓孔６が形成されており、上壁３の内面にディスク２が前方へ遊動するのを規制するための位置規制リブ１４がディスク２の円周に沿う円弧状に一体に突設されている（図１参照）。上壁３の内面の前端には、シャッター７を左右方向に案内するために断面角形の案内レール１７が左右方向の全長にわたって形成されている。窓孔６の前方に対応する上壁３および案内レール１７は、上壁３の外表面３ａより低く落ち込む陥没壁部１５を窓孔６の前方延長方向に合致するよう形成する。
【００１４】
この陥没壁部１５は、ディスクドライブ側の信号読み書き用ヘッドが窓孔６に挿入するときのクリアランスを確保するためである。陥没壁部１５には、案内レール１７の内面と連続する案内溝１６を左右方向に形成する。図４に示すごとく陥没壁部１５の案内溝１６より後方部位の上面には、平らな凸部１５ｂを形成してある。図２および図３に示すごとく上壁３の窓孔６の後端より更に後方に対応する箇所には、シャッター７の後端側を左右方向に摺動案内するための凹溝９が左右方向にわたって形成されており、この凹溝９の上に細幅の押え板１０が後述するように取り付けられている。
【００１５】
下ケース１ｂは上ケース１ａと対称に形成されており、上ケース１ａの窓孔６に正対する窓孔６と、下壁４の外表面４ａより低く落ち込むよう形成されて上ケース１ａの陥没壁部１５の下面側に重合する陥没壁部１５と、上ケース１ａの案内レール１７に正対する案内レール１７と、上ケース１ａ側の位置規制リブ１４の下端に突き合わされる位置規制リブ１４とを有する。下壁４の窓孔６の後端より更に後方に対応する箇所にも、上壁３の場合と同様に凹溝９および押え板１０を設ける。これら上下ケース１ａ・１ｂを突き合わせると、図４および図５に示すように両ケース１ａ・１ｂの陥没壁部１５・１５の凸部１５ｂ・１５ｂどうしが重合して、陥没壁部１５・１５の前方部位１５ａ・１５ａ間、および案内レール１７・１７間に空隙Ｓが形成される。
【００１６】
図７においてシャッター７は、ＡＢＳ樹脂やＰＳ樹脂などで断面コ字形状に射出成形されたプラスチック成形品であり、上下壁３・４の各窓孔６を塞ぐように前後方向に長くて左右方向に短い矩形状の上下板７ａ・７ｂと、これら上下板７ａ・７ｂの前端どうしをつなぐ背板７ｃとを有する。背板７ｃの左右方向の略中央部には、断面コ字形の突部８をこれの内部に肉抜き凹部８ａが左右端に開放されるよう前方へ膨出状に形成するとともに、背板７ｃの内面における左右方向の略中央部位から抜止め片１３を後ろ向きに一体に突設する。
【００１７】
突部８の肉抜き凹部８ａ内の左右方向の略中央部位には隔壁１１が一体に形成される。抜止め片１３の先端左右に、互いに上下逆向きの逆止爪１３ａ・１３ａが設けられる。上下板７ａ・７ｂの各後端には屈曲後端部７ｄ・７ｅが、上下板７ａ・７ｂの上下対向間隔よりも狭い上下間隔をおいて上下に対向するよう屈曲状に形成される。
【００１８】
図８はシャッター７の射出成形金型構造の概略図を示しており、１９は固定金型、２０は可動金型、２１は固定金型１９側に設けた肉抜き凹部８ａを成形するための入子、２２は可動金型２０側に設けた肉抜き凹部８ａを成形するための入子、２３は入子２２にセットしたエジェクターピン、２４は固定金型１９側に設けた抜止め片１３を成形するためのコアー、２５は可動金型２０側に設けた抜止め片１３を成形するためのコアーである。
【００１９】
かかる金型構造から明らかなように凸部８が肉抜き凹部８ａを左右両端に開放するよう成形されるので、上下板７ａ・７ｂの短手方向と一致する左右方向Ａ・Ｂに離型する固定・可動金型１９・２０で足り、これが前後方向に離型する金型よりも小型化することができる。突部８の肉抜き凹部８ａ内の隔壁１１にエジェクターピン２３を設けることで、凸部８および抜止め片１３部分をも可動金型２０から抵抗少なく容易に突き出せる。上下板７ａ・７ｂに屈曲後端部７ｄ・７ｅが形成される場合、前後方向に離型する金型ではその屈曲後端部７ｄ・７ｅがアンダーカットとなり、無理抜き離型となるが、左右方向に離型することで屈曲後端部７ｄ・７ｅも簡単に成形できることになる。
【００２０】
図４および図５においてシャッター７は、上下板７ａ・７ｂが上下壁３・４の各外面上に重合し、抜止め片１３の逆止爪１３ａが陥没壁部１５・１５の凸部１５ｂ・１５ｂ間の空隙Ｓ内に差し込まれるように、本体ケース１の前側の開放端面５にこれの前側方から押し込み嵌合する。これで抜止め片１３の上向きの逆止爪１３ａは上ケース１ａの案内レール１７の内面側に、下向きの逆止爪１３ａは下ケース１ｂの案内レール１７の内面側にそれぞれ係合し、図３に示すごとく上側の屈曲後端部７ｄが上壁３の凹溝９に、下側の屈曲後端部７ｅが下壁４の凹溝９にそれぞれ嵌め込まれる。次いで、上下壁３・４に対し上下の押え板１０が屈曲後端部７ｄ・７ｅをそれぞれ覆うように軽く押さえる状態に取り付けられる。以てシャッター７が本体ケース１から前方へ抜け出ない状態となる。
【００２１】
図１および図６に示すように、シャッター７を閉じ位置に移動付勢するばね部材２６としては、左右２個のねじりコイルばねを採用し、また左右２個のスライダー２７を備えている。図９および図１０に示すごとくスライダー２７は工形に形成されて、上下の案内レール１７・１７間の空隙Ｓ内を摺動するウェブ２７ａ、および上下の案内レール１７・１７の内外面を摺動する内外フランジ２７ｂ・２７ｃとを有するスライダー本体２９と、そのうちウェブ２７ａと内フランジ２７ｂが外フランジ２７ｃよりも更に左右方向に長く形成され、このウェブ２７ａおよび内フランジ２７ｂの長い部分で形成された断面凸字形の補足部３０とからなる。
【００２２】
図１に示すごとくこの補足部３０が、シャッター７の左右端の内部で且つ前記抜止め爪１３の左右方向外側に嵌入する。内フランジ２７ｂの外端面にばね掛け溝３１を有する。スライダー２７は補足部３０で安定的な摺動に必要かつ充分な左右方向長さを確保できるので、シャッター７の外側にはみ出るスライダー本体２９は薄形化できて、シャッター７を本体ケース１の左または右の側壁１２に近接するまで開けることができる。
【００２３】
他方、左右の各ばね部材２６は、これの一方の腕部２６ａの先端を下壁４の内面における位置規制リブ１４より前方部位に突設した左右のピン３２にそれぞれ掛け止め、他方の腕部２６ｂの先端をスライダー２７のばね掛け溝３１に挿入係合する。これで左右の各スライダー２７は前記ばね部材２６のばね作用で案内レール１７上を中央の陥没壁部１５の方向へ移動付勢されて、外フランジ２７ｃの内端面がシャッター７の左右端面に当接するか、または補足部３０の内端面が抜止め爪１３の外端面に当接することにより、シャッター７は窓孔６を塞ぐ中央の閉じ位置に保持される。
【００２４】
このようにシャッター７を取り付けたディスクカートリッジをディスクドライブに装填すると、該ドライブ側の開閉操作部材（図示せず）がシャッター７の凸部８に係合し、この係合作用によりシャッター７が窓孔６を塞ぐ中央の閉じ位置から左側壁１２または右側壁１２に近接する位置にまで案内レール１７に沿ってねじりコイルばね２６の力に抗して上下壁３・４の各外表面上を摺動し、以て窓孔６が全開する。その際、シャッター７は抜止め片１３を有し、この抜止め片１３で案内レール１７に抜け止め状に支持してあるので、シャッター７が案内レール１７上をがたつくことなく安定的に摺動する。
【００２５】
それら案内レール１７および抜止め片１３は本体ケース１の開放端面５の内部に収められていて、外部に露出していないから、他物と接触して欠損を加えられたり、塵埃が溜まるのを防止できてシャッター７の円滑な案内摺動を確保できる。抜止め片１３の先端左右に逆止爪１３ａを互いに上下逆向きに設けてあるので、シャッター７を摩擦抵抗少なく摺動させるために、また本体ケース１の開放端面５にこれの前側方から押し込み嵌合し易くするために、抜止め片１３と案内レール１７との間の上下に空隙Ｓを設けていても、抜止め片１３が案内レール１７から抜け出ることがなく、摩滅の偏りも無くなる。シャッター７の突部８に加えた押す力が解除されると、シャッター７はねじりコイルばね２６の付勢力をスライダー２７を介して受けることで元の中央の閉じ位置に自動的に復帰移動して停止する。
【００２６】
【発明の効果】
本発明によれば、本体ケース１の開放端面５の内部に案内レール１７を設け、この案内レール１７にシャッター７の抜止め片１３が抜け止め状に摺動係合している。従って、本体ケース１に対するシャッター７の抜け止め規制と摺動案内とが本体ケース１内で行われ、かかる摺動案内部への塵埃堆積、他物の触れなどから防護できる。シャッター７の背板７ｃに抜止め片１３を設け、この抜止め片１３で案内レール１７に抜け止め状に支持してあるので、シャッター７は案内レール１７に沿って左右方向にがたつきなく円滑に安定よく摺動する。抜止め片１３の先端左右に逆止爪１３ａを互いに上下逆向きに設けてあると、摺動案内性および組み付け性を確保しながら抜け止め効果を向上できる。
【００２７】
開閉用の突部８および抜止め片１３を持つ形状のシャッター７も、突部８の内部に肉抜き凹部８ａを左右端に開放するよう設けてある。従って、この射出成形時に、離型方向を左右方向にする小型の金型で安価に成形でき、しかも突部８の肉厚の均一化を図れ、ヒケ発生等の外観不良を来すこともなく成形できる。突部８の肉抜き凹部８ａ内の左右方向中央付近に隔壁１１を設けてあるので、突部８の剛性が高まり、この隔壁１１に設けるエジェクターピン２３で突き出すことで、他の箇所での突き出しと相俟ってシャッター成形品全体をバランス良く離型することができる。
【図面の簡単な説明】
【図１】前端部分の内部平面図である。
【図２】全体の平面図である。
【図３】図２におけるＣ−Ｃ線拡大断面図である。
【図４】図２におけるＤ−Ｄ線拡大断面図である。
【図５】図２におけるＥ−Ｅ線拡大断面図である。
【図６】ディスクカートリッジの前端部にシャッターを取り付ける直前の状態を示す斜視図である。
【図７】（Ａ）はシャッターの一部切り欠き平面図、（Ｂ）はその側面図である。
【図８】シャッターの成形金型の断面図である。
【図９】スライダーの斜視図である。
【図１０】スライダーの組込み状態を示す断面図である。
【符号の説明】
１  本体ケース
２  ディスク
３  上壁
４  下壁
５  開放端面
６  窓孔
７  シャッター
７ａ  シャッターの上板
７ｂ  シャッターの下板
７ｃ  シャッターの背板
８  シャッターの突部
８ａ  シャッターの肉抜き凹部
１１  隔壁
１３  抜止め片
１３ａ  逆止爪
１７  案内レール
２３  エジェクターピン
【図１】
0003547560.tif 000002
【図２】
0003547560.tif 000003
【図３】
0003547560.tif 000004
【図４】
0003547560.tif 000005
【図５】
0003547560.tif 000006
【図６】
0003547560.tif 000007
【図７】
0003547560.tif 000008
【図８】
0003547560.tif 000009
【図９】
0003547560.tif 000010
【図１０】
0003547560.tif 000011